(57)【要約】【課題】サービス提供者が定めたプライバシポリシに対して、ユーザ毎に異なる好みに応じて、重要な箇所の強調やそうでない部分の省略などを施すことでより理解しやすい表記に整形する。【解決手段】サービスサーバ２００が、サービス利用端末１００にプライバシポリシを送信する。サービス利用端末１００は、サービスサーバ２００からプライバシポリシを受信し、プリファレンスの加工情報を生成する。そして、生成されたプリファレンスの加工情報に基づいて、受信したプライバシポリシを加工し、加工したプライバシポリシを表示する。【選択図】図７
2015049772.tif 000002
【特許請求の範囲】
【請求項１】
サービスを利用するためのブラウザとプリファレンスとを有するサービス利用端末と、プライバシポリシを有するサービスサーバからなるプライバシポリシ加工システムであって、
前記サービスサーバが、前記サービス利用端末にプライバシポリシを送信するプライバシポリシ送信手段を備え、
前記サービス利用端末が、
前記サービスサーバからプライバシポリシを受信するプライバシポリシ受信手段と、
前記プリファレンスの加工情報を生成する加工情報生成手段と、
該生成されたプリファレンスの加工情報に基づいて、前記受信したプライバシポリシを加工するプライバシポリシ加工手段と、
該加工したプライバシポリシを表示するプライバシポリシ表示手段と、
を備えたことを特徴とするプライバシポリシ加工システム。
【請求項２】
サービスを利用するためのブラウザとプリファレンスとを有するサービス利用端末と、プライバシポリシを有するサービスサーバからなるプライバシポリシ加工システムであって、
前記サービス利用端末が、前記サービスサーバにプリファレンスを送信するプリファレンス送信手段を備え、
前記サービスサーバが、
前記サービス利用端末からプリファレンスを受信するプリファレンス受信手段と、
前記プリファレンスの加工情報を生成する加工情報生成手段と、
該生成されたプリファレンスの加工情報に基づいて、前記受信したプライバシポリシを加工するプライバシポリシ加工手段と、
該加工したプライバシポリシを前記サービス利用端末に送信する加工済プライバシポリシ送信手段と、
を備え、
前記サービス利用端末が、
該加工したプライバシポリシを前記サービスサーバから受信する加工済プライバシポリシ受信手段と、
該受信した加工済のプライバシポリシを表示する表示手段と、
を備えたことを特徴とするプライバシポリシ加工システム。
【請求項３】
サービスを利用するためのブラウザとプリファレンスとを有するサービス利用端末と、プライバシポリシを有するサービスサーバと、第三者サーバとからなるプライバシポリシ加工システムであって、
前記サービス利用端末が、
前記プリファレンスの加工情報を生成する加工情報生成手段と、
前記第三者サーバに前記プリファレンスと前記加工情報とを送信する加工情報送信手段と、
を備え、
前記サービスサーバが、前記プライバシポリシを前記第三者サーバに送信するプライバシポリシ送信手段を備え、
前記第三者サーバが、
前記サービス利用端末から前記プリファレンスと前記加工情報とを、前記サービスサーバから前記プライバシポリシを受信する受信手段と、
該受信した前記プリファレンスと前記加工情報と前記プライバシポリシとに基づいて、プライバシポリシを加工するプライバシポリシ加工手段と、
該加工したプライバシポリシを前記サービス利用端末に送信する加工済プライバシポリシ送信手段と、
を備え、
前記サービス利用端末が、
該加工したプライバシポリシを前記サービスサーバから受信する加工済プライバシポリシ受信手段と、
該受信した加工済のプライバシポリシを表示する表示手段と、
を備えたことを特徴とするプライバシポリシ加工システム。
【請求項４】
前記プライバシポリシ受信手段とプライバシポリシ表示手段とが前記ブラウザ内に設けられていることを特徴とする請求項１から請求項３に記載のプライバシポリシ加工システム。
【請求項５】
前記加工情報生成手段が、用意された入力フォームへユーザが記入方式、対話的にユーザが質問に回答する方式、類似のユーザの設定を利用して適切と考えられる設定を推薦する方式、あるいは、これまでのサービス利用履歴を利用して適切と考えられる設定を推薦する方式で、加工情報を生成することを特徴とする請求項１から請求項３に記載のプライバシポリシ加工システム。
【請求項６】
サービスを利用するためのブラウザとプリファレンスとを有するサービス利用端末と、プライバシポリシを有するサービスサーバからなるプライバシポリシ加工システムにおけるプライバシポリシの加工方法であって、
前記サービスサーバが、前記サービス利用端末にプライバシポリシを送信する第１のステップと、
前記サービス利用端末が、
前記サービスサーバからプライバシポリシを受信する第２のステップと、
前記プリファレンスの加工情報を生成する第３のステップと、
該生成されたプリファレンスの加工情報に基づいて、前記受信したプライバシポリシを加工する第４のステップと、
該加工したプライバシポリシを表示する第５のステップと、
を備えたことを特徴とするプライバシポリシの加工方法。
【請求項７】
サービスを利用するためのブラウザとプリファレンスとを有するサービス利用端末と、プライバシポリシを有するサービスサーバからなるプライバシポリシ加工システムにおけるプライバシポリシの加工方法であって、
前記サービス利用端末が、前記サービスサーバにプリファレンスを送信する第１のステップと、
前記サービスサーバが、
前記サービス利用端末からプリファレンスを受信する第２のステップと、
前記プリファレンスの加工情報を生成する第３のステップと、
該生成されたプリファレンスの加工情報に基づいて、プライバシポリシを加工する第４のステップと、
該加工したプライバシポリシを前記サービス利用端末に送信する第５のステップと、
前記サービス利用端末が、
該加工したプライバシポリシを前記サービスサーバから受信する第６のステップと、
該受信した加工済のプライバシポリシを表示する第７のステップと、
を備えたことを特徴とするプライバシポリシの加工方法。
【請求項８】
サービスを利用するためのブラウザとプリファレンスとを有するサービス利用端末と、プライバシポリシを有するサービスサーバと、第三者サーバとからなるプライバシポリシ加工システムにおけるプライバシポリシの加工方法であって、
前記サービス利用端末が、
前記プリファレンスの加工情報を生成する第１のステップと、
前記第三者サーバに前記プリファレンスと前記加工情報とを送信する第２のステップと、
前記サービスサーバが、前記プライバシポリシを前記第三者サーバに送信する第３のステップと、
前記第三者サーバが、
前記サービス利用端末から前記プリファレンスと前記加工情報とを、前記サービスサーバから前記プライバシポリシを受信する第４のステップと、
該受信した前記プリファレンスと前記加工情報と前記プライバシポリシとに基づいて、プライバシポリシを加工する第５のステップと、
該加工したプライバシポリシを前記サービス利用端末に送信する第６のステップと、
前記サービス利用端末が、
該加工したプライバシポリシを前記サービスサーバから受信する第７のステップと、
該受信した加工済のプライバシポリシを表示する第８のステップと、
を備えたことを特徴とするプライバシポリシの加工方法。
【請求項９】
サービスを利用するためのブラウザとプリファレンスとを有するサービス利用端末と、プライバシポリシを有するサービスサーバからなるプライバシポリシ加工システムにおけるプライバシポリシの加工方法をコンピュータに実行させるためのプログラムであって、
前記サービスサーバが、前記サービス利用端末にプライバシポリシを送信する第１のステップと、
前記サービス利用端末が、
前記サービスサーバからプライバシポリシを受信する第２のステップと、
前記プリファレンスの加工情報を生成する第３のステップと、
該生成されたプリファレンスの加工情報に基づいて、前記受信したプライバシポリシを加工する第４のステップと、
該加工したプライバシポリシを表示する第５のステップと、
をコンピュータに実行させるためのプログラム。
【請求項１０】
サービスを利用するためのブラウザとプリファレンスとを有するサービス利用端末と、プライバシポリシを有するサービスサーバからなるプライバシポリシ加工システムにおけるプライバシポリシの加工方法をコンピュータに実行させるためのプログラムであって、
前記サービス利用端末が、前記サービスサーバにプリファレンスを送信する第１のステップと、
前記サービスサーバが、
前記サービス利用端末からプリファレンスを受信する第２のステップと、
前記プリファレンスの加工情報を生成する第３のステップと、
該生成されたプリファレンスの加工情報に基づいて、プライバシポリシを加工する第４のステップと、
該加工したプライバシポリシを前記サービス利用端末に送信する第５のステップと、
前記サービス利用端末が、
該加工したプライバシポリシを前記サービスサーバから受信する第６のステップと、
該受信した加工済のプライバシポリシを表示する第７のステップと、
をコンピュータに実行させるためのプログラム。
【請求項１１】
サービスを利用するためのブラウザとプリファレンスとを有するサービス利用端末と、プライバシポリシを有するサービスサーバと、第三者サーバとからなるプライバシポリシ加工システムにおけるプライバシポリシの加工方法をコンピュータに実行させるためのプログラムであって、
前記サービス利用端末が、
前記プリファレンスの加工情報を生成する第１のステップと、
前記第三者サーバに前記プリファレンスと前記加工情報とを送信する第２のステップと、
前記サービスサーバが、前記プライバシポリシを前記第三者サーバに送信する第３のステップと、
前記第三者サーバが、
前記サービス利用端末から前記プリファレンスと前記加工情報とを、前記サービスサーバから前記プライバシポリシを受信する第４のステップと、
該受信した前記プリファレンスと前記加工情報と前記プライバシポリシとに基づいて、プライバシポリシを加工する第５のステップと、
該加工したプライバシポリシを前記サービス利用端末に送信する第６のステップと、
前記サービス利用端末が、
該加工したプライバシポリシを前記サービスサーバから受信する第７のステップと、
該受信した加工済のプライバシポリシを表示する第８のステップと、
をコンピュータに実行させるためのプログラム。
【発明の詳細な説明】
【技術分野】
【０００１】
本発明は、サービス提供者から提供されるサービス規約をユーザの好みに合わせて加工し、理解しやすい規約に変換するプライバシポリシ加工システム、プライバシポリシ加工方法およびプログラムに関する。
【背景技術】
【０００２】
近年ビッグデータの活用、特に個人に関わるデータ(パーソナルデータ)の活用が期待されている。一方で、パーソナルデータの利用に関しては、プライバシ問題の存在によって活用が妨げられている。現状では、各社が定めるプライバシポリシをＷｅｂページ等に掲載し、同意を求めることによってプライバシ問題を回避している。しかしながら、２０１２年の調査によれば、プライバシポリシを読むユーザは１５％と少数であり、また同年に行われた別の調査によれば、Ｆａｃｅｂｏｏｋ（登録商標）やＧｏｏｇｌｅ（登録商標）のプライバシポリシを読んだ被験者のうち、自身のパーソナルデータの取り扱いを正しく理解できたのは２０％程度に過ぎなかった。このように、現状はプライバシポリシが有効に機能しているとは言い難い。なお、こうした状況に対応した技術として、非特許文献１に記載の技術が知られている。
【先行技術文献】
【非特許文献】
【０００３】
【非特許文献１】Ｊｏｅ  Ａｎｄｒｉｅｕ,  “Ｔｈｅ  Ｓｔａｎｄａｒｄ  Ｉｎｆｏｒｍａｔｉｏｎ  Ｓｈａｒｉｎｇ  Ｌａｂｅｌ”,  ｈｔｔｐ：//ｓｔａｎｄａｒｄｌａｂｅｌ.ｏｒｇ
【発明の概要】
【発明が解決しようとする課題】
【０００４】
非特許文献１に記載の技術では、プライバシポリシの理解しやすい表記として、情報共有標準ラベルが検討されている。しかしながら、ユーザの好みは反映されておらず、全てのユーザに対して同じプライバシポリシを表示するものである。
【０００５】
そこで、本発明は、上述の課題に鑑みてなされたものであり、サービス提供者が定めたプライバシポリシに対して、ユーザ毎に異なる好みに応じて、重要な箇所の強調やそうでない部分の省略などを施すことでより理解しやすい表記に整形するプライバシポリシ加工システム、プライバシポリシ加工方法およびプログラムを提供することを目的とする。
【課題を解決するための手段】
【０００６】
本発明は、上述の課題を解決するために、以下の事項を提案している。
【０００７】
（１）本発明は、サービスを利用するためのブラウザとプリファレンスとを有するサービス利用端末と、プライバシポリシを有するサービスサーバからなるプライバシポリシ加工システムであって、前記サービスサーバが、前記サービス利用端末にプライバシポリシを送信するプライバシポリシ送信手段を備え、前記サービス利用端末が、前記サービスサーバからプライバシポリシを受信するプライバシポリシ受信手段と、前記プリファレンスの加工情報を生成する加工情報生成手段と、該生成されたプリファレンスの加工情報に基づいて、前記受信したプライバシポリシを加工するプライバシポリシ加工手段と、該加工したプライバシポリシを表示するプライバシポリシ表示手段と、を備えたことを特徴とするプライバシポリシ加工システムを提案している。
【０００８】
（２）本発明は、サービスを利用するためのブラウザとプリファレンスとを有するサービス利用端末と、プライバシポリシを有するサービスサーバからなるプライバシポリシ加工システムであって、前記サービス利用端末が、前記サービスサーバにプリファレンスを送信するプリファレンス送信手段を備え、前記サービスサーバが、前記サービス利用端末からプリファレンスを受信するプリファレンス受信手段と、前記プリファレンスの加工情報を生成する加工情報生成手段と、該生成されたプリファレンスの加工情報に基づいて、前記受信したプライバシポリシを加工するプライバシポリシ加工手段と、該加工したプライバシポリシを前記サービス利用端末に送信する加工済プライバシポリシ送信手段と、を備え、前記サービス利用端末が、該加工したプライバシポリシを前記サービスサーバから受信する加工済プライバシポリシ受信手段と、該受信した加工済のプライバシポリシを表示する表示手段と、を備えたことを特徴とするプライバシポリシ加工システムを提案している。
【０００９】
（３）本発明は、サービスを利用するためのブラウザとプリファレンスとを有するサービス利用端末と、プライバシポリシを有するサービスサーバと、第三者サーバとからなるプライバシポリシ加工システムであって、前記サービス利用端末が、前記プリファレンスの加工情報を生成する加工情報生成手段と、前記第三者サーバに前記プリファレンスと前記加工情報とを送信する加工情報送信手段と、を備え、前記サービスサーバが、前記プライバシポリシを前記第三者サーバに送信するプライバシポリシ送信手段を備え、前記第三者サーバが、前記サービス利用端末から前記プリファレンスと前記加工情報とを、前記サービスサーバから前記プライバシポリシを受信する受信手段と、該受信した前記プリファレンスと前記加工情報と前記プライバシポリシとに基づいて、プライバシポリシを加工するプライバシポリシ加工手段と、該加工したプライバシポリシを前記サービス利用端末に送信する加工済プライバシポリシ送信手段と、を備え、前記サービス利用端末が、該加工したプライバシポリシを前記サービスサーバから受信する加工済プライバシポリシ受信手段と、該受信した加工済のプライバシポリシを表示する表示手段と、を備えたことを特徴とするプライバシポリシ加工システムを提案している。
【００１０】
（４）本発明は、（１）から（３）のプライバシポリシ加工システムについて、前記プライバシポリシ受信手段とプライバシポリシ表示手段とが前記ブラウザ内に設けられていることを特徴とするプライバシポリシ加工システムを提案している。
【００１１】
（５）本発明は、（１）から（３）のプライバシポリシ加工システムについて、前記加工情報生成手段が、用意された入力フォームへユーザが記入方式、対話的にユーザが質問に回答する方式、類似のユーザの設定を利用して適切と考えられる設定を推薦する方式、あるいは、これまでのサービス利用履歴を利用して適切と考えられる設定を推薦する方式で、加工情報を生成することを特徴とするプライバシポリシ加工システムを提案している。
【００１２】
（６）本発明は、サービスを利用するためのブラウザとプリファレンスとを有するサービス利用端末と、プライバシポリシを有するサービスサーバからなるプライバシポリシ加工システムにおけるプライバシポリシの加工方法であって、前記サービスサーバが、前記サービス利用端末にプライバシポリシを送信する第１のステップと、前記サービス利用端末が、前記サービスサーバからプライバシポリシを受信する第２のステップと、前記プリファレンスの加工情報を生成する第３のステップと、該生成されたプリファレンスの加工情報に基づいて、前記受信したプライバシポリシを加工する第４のステップと、該加工したプライバシポリシを表示する第５のステップと、を備えたことを特徴とするプライバシポリシの加工方法を提案している。
【００１３】
（７）本発明は、サービスを利用するためのブラウザとプリファレンスとを有するサービス利用端末と、プライバシポリシを有するサービスサーバからなるプライバシポリシ加工システムにおけるプライバシポリシの加工方法であって、前記サービス利用端末が、前記サービスサーバにプリファレンスを送信する第１のステップと、前記サービスサーバが、前記サービス利用端末からプリファレンスを受信する第２のステップと、前記プリファレンスの加工情報を生成する第３のステップと、該生成されたプリファレンスの加工情報に基づいて、プライバシポリシを加工する第４のステップと、該加工したプライバシポリシを前記サービス利用端末に送信する第５のステップと、前記サービス利用端末が、該加工したプライバシポリシを前記サービスサーバから受信する第６のステップと、該受信した加工済のプライバシポリシを表示する第７のステップと、を備えたことを特徴とするプライバシポリシの加工方法を提案している。
【００１４】
（８）本発明は、サービスを利用するためのブラウザとプリファレンスとを有するサービス利用端末と、プライバシポリシを有するサービスサーバと、第三者サーバとからなるプライバシポリシ加工システムにおけるプライバシポリシの加工方法であって、前記サービス利用端末が、前記プリファレンスの加工情報を生成する第１のステップと、前記第三者サーバに前記プリファレンスと前記加工情報とを送信する第２のステップと、前記サービスサーバが、前記プライバシポリシを前記第三者サーバに送信する第３のステップと、前記第三者サーバが、前記サービス利用端末から前記プリファレンスと前記加工情報とを、前記サービスサーバから前記プライバシポリシを受信する第４のステップと、該受信した前記プリファレンスと前記加工情報と前記プライバシポリシとに基づいて、プライバシポリシを加工する第５のステップと、該加工したプライバシポリシを前記サービス利用端末に送信する第６のステップと、前記サービス利用端末が、該加工したプライバシポリシを前記サービスサーバから受信する第７のステップと、該受信した加工済のプライバシポリシを表示する第８のステップと、を備えたことを特徴とするプライバシポリシの加工方法を提案している。
【００１５】
（９）本発明は、サービスを利用するためのブラウザとプリファレンスとを有するサービス利用端末と、プライバシポリシを有するサービスサーバからなるプライバシポリシ加工システムにおけるプライバシポリシの加工方法をコンピュータに実行させるためのプログラムであって、前記サービスサーバが、前記サービス利用端末にプライバシポリシを送信する第１のステップと、前記サービス利用端末が、前記サービスサーバからプライバシポリシを受信する第２のステップと、前記プリファレンスの加工情報を生成する第３のステップと、該生成されたプリファレンスの加工情報に基づいて、前記受信したプライバシポリシを加工する第４のステップと、該加工したプライバシポリシを表示する第５のステップと、をコンピュータに実行させるためのプログラムを提案している。
【００１６】
（１０）本発明は、サービスを利用するためのブラウザとプリファレンスとを有するサービス利用端末と、プライバシポリシを有するサービスサーバからなるプライバシポリシ加工システムにおけるプライバシポリシの加工方法をコンピュータに実行させるためのプログラムであって、前記サービス利用端末が、前記サービスサーバにプリファレンスを送信する第１のステップと、前記サービスサーバが、前記サービス利用端末からプリファレンスを受信する第２のステップと、前記プリファレンスの加工情報を生成する第３のステップと、該生成されたプリファレンスの加工情報に基づいて、プライバシポリシを加工する第４のステップと、該加工したプライバシポリシを前記サービス利用端末に送信する第５のステップと、前記サービス利用端末が、該加工したプライバシポリシを前記サービスサーバから受信する第６のステップと、該受信した加工済のプライバシポリシを表示する第７のステップと、をコンピュータに実行させるためのプログラムを提案している。
【００１７】
（１１）本発明は、サービスを利用するためのブラウザとプリファレンスとを有するサービス利用端末と、プライバシポリシを有するサービスサーバと、第三者サーバとからなるプライバシポリシ加工システムにおけるプライバシポリシの加工方法をコンピュータに実行させるためのプログラムであって、前記サービス利用端末が、前記プリファレンスの加工情報を生成する第１のステップと、前記第三者サーバに前記プリファレンスと前記加工情報とを送信する第２のステップと、前記サービスサーバが、前記プライバシポリシを前記第三者サーバに送信する第３のステップと、前記第三者サーバが、前記サービス利用端末から前記プリファレンスと前記加工情報とを、前記サービスサーバから前記プライバシポリシを受信する第４のステップと、該受信した前記プリファレンスと前記加工情報と前記プライバシポリシとに基づいて、プライバシポリシを加工する第５のステップと、該加工したプライバシポリシを前記サービス利用端末に送信する第６のステップと、前記サービス利用端末が、該加工したプライバシポリシを前記サービスサーバから受信する第７のステップと、該受信した加工済のプライバシポリシを表示する第８のステップと、をコンピュータに実行させるためのプログラムを提案している。
【発明の効果】
【００１８】
本発明によれば、プライバシポリシをユーザの好みに応じて理解しやすい表記で表示することで、ユーザにより安心感を与えることができるという効果がある。
【図面の簡単な説明】
【００１９】
【図１】本発明の第１の実施形態に係るプライバシポリシ加工システムの構成を示す図である。
【図２】本発明の第１の実施形態に係るサービス利用端末の構成を示す図である。
【図３】本発明の第１の実施形態に係るサービスサーバの構成を示す図である。
【図４】本発明に係るＸＭＬ形式のプライバシポリシの例である。
【図５】本発明に係る表形式のプライバシポリシの例である。
【図６】本発明に係るプリファレンスの加工を反映した表形式のプライバシポリシの例である。
【図７】本発明の第１の実施形態に係るプライバシポリシ加工システムの処理を示す図である。
【図８】本発明の第２の実施形態に係るプライバシポリシ加工システムの構成を示す図である。
【図９】本発明の第２の実施形態に係るサービス利用端末の構成を示す図である。
【図１０】本発明の第２の実施形態に係るサービスサーバの構成を示す図である。
【図１１】本発明の第２の実施形態に係るプライバシポリシ加工システムの処理を示す図である。
【図１２】本発明の第３の実施形態に係るプライバシポリシ加工システムの構成を示す図である。
【図１３】本発明の第３の実施形態に係るサービス利用端末の構成を示す図である。
【図１４】本発明の第３の実施形態に係るサービスサーバの構成を示す図である。
【図１５】本発明の第３の実施形態に係る第三者サーバの構成を示す図である。
【図１６】本発明の第３の実施形態に係るプライバシポリシ加工システムの処理を示す図である。
【発明を実施するための形態】
【００２０】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２１】
＜第１の実施形態＞
図１から図７を用いて、本発明に係る第１の実施形態について説明する。
本実施形態に係るプライバシポリシ加工システムは、図１に示すように、サービス利用端末１００と、サービスサーバ２００とから構成され、これらがネットワーク３００を介して、接続されている。
【００２２】
本発明においては、ユーザは自身の好みを定義するプリファレンスを作成する。プリファレンスはＸＭＬのような機械的に解釈可能な形式で記述されることが望ましい。プリファレンスの作成は、ユーザが手動で作成するだけではなく、用意された入力フォームへの記入や、対話的に質問に回答して生成する方法、類似のユーザの設定を利用して適切と考えられる設定を推薦する方法、これまでのサービス利用履歴(どのようなプライバシポリシに同意してきたか)を利用して適切と考えられる設定を推薦する方法などが考えられる。そして、上記の方法等で得られた情報をＸＭＬ形式で記述されたプログラムの所望の箇所に自動的に埋め込むことにより、ユーザの好みを反映して加工されたプリファレンスを生成する。
【００２３】
プリファレンスに記述される項目の例として、表示されるプライバシポリシの順序や強調表示される項目、プライバシポリシの記述の粒度などがあり、図６がその一例である。ユーザはサービスを享受するためのブラウザが搭載された端末を持つ。
【００２４】
サービス提供者はユーザのパーソナルデータの収集と取扱いに関する取り決めを定義するプライバシポリシを作成する。作成されるプライバシポリシは、図５のように、例えば、表形式で表わされる。このようにすることにより、プライバシポリシの全体およびユーザにとって重要な項目を見やすく表示することができる。プライバシポリシは、現状多くは自然言語かつフリーフォーマットで記述されているが、本発明においては、図４に示すように、プリファレンス同様ＸＭＬのような機械的に解釈可能な形式で、標準化されたフォーマットに従って記述されることが望ましい。プライバシポリシに同意したユーザに対して、サービス提供者はサービスサーバを介してサービスを提供する。
【００２５】
＜サービス利用端末の構成＞
本実施形態に係るサービス利用端末は、図２に示すように、プライバシポリシ受信部１１０と、加工情報生成部１２０と、プリファレンス格納部１３０と、プライバシポリシ加工部１４０と、プライバシポリシ表示部１５０とから構成されている。なお、プライバシポリシ受信部１１０とプライバシポリシ表示部１５０とをサービスを享受するためのブラウザ内に設けてもよい。
【００２６】
プライバシポリシ受信部１１０は、サービスサーバ２００からプライバシポリシを受信する。加工情報生成部１２０は、プリファレンスの加工情報を生成する。プリファレンス格納部１３０は、プリファレンスを格納保持する。プライバシポリシ加工部１４０は、生成されたプリファレンスの加工情報に基づいて、受信したプライバシポリシを加工する。プライバシポリシ表示部１５０は、加工したプライバシポリシを表示する。
【００２７】
＜サービスサーバの構成＞
本実施形態に係るサービスサーバは、図３に示すように、プライバシポリシ格納部２１０と、プライバシポリシ送信部２２０とから構成されている。
【００２８】
プライバシポリシ格納部２１０は、プライバシポリシを格納保持する。プライバシポリシ送信部２２０は、格納保持されたプライバシポリシをサービス利用端末１００に送信する。
【００２９】
＜プライバシポリシ加工システムの処理＞
図７を用いて、本実施形態に係るプライバシポリシ加工システムの処理について説明する。
【００３０】
まず、サービスサーバ２００が、サービス利用端末１００にプライバシポリシを送信する（ステップＳ１１０）。
【００３１】
サービス利用端末１００は、サービスサーバ２００からプライバシポリシを受信し（ステップＳ１２０）、プリファレンスの加工情報を生成する（ステップＳ１３０）。そして、生成されたプリファレンスの加工情報に基づいて、受信したプライバシポリシを加工し（ステップＳ１４０）、加工したプライバシポリシを表示する（ステップＳ１５０）。
【００３２】
＜第２の実施形態＞
図８から図１１を用いて、本発明に係る第２の実施形態について説明する。
本実施形態に係るプライバシポリシ加工システムは、図８に示すように、サービス利用端末１０１と、サービスサーバ２０１とから構成され、これらがネットワーク３００を介して、接続されている。
【００３３】
＜サービス利用端末の構成＞
本実施形態に係るサービス利用端末は、図９に示すように、プリファレンス送信部１６０と、加工済プライバシポリシ受信部１７０と、プライバシポリシ表示部１５０とから構成されている。なお、第１の実施形態と同一の符号を付す構成要素については、同様の機能を有することから、その詳細な説明は、省略する。
【００３４】
プリファレンス送信部１６０は、サービスサーバ２０１にプリファレンスを送信する。加工済プライバシポリシ受信部１７０は、加工したプライバシポリシをサービスサーバ２０１から受信する。
【００３５】
＜サービスサーバの構成＞
本実施形態に係るサービスサーバは、図１０に示すように、プリファレンス受信部２３０と、加工情報生成部２４０と、プライバシポリシ加工部２５０と、加工済プライバシポリシ送信部２６０とから構成されている。
【００３６】
プリファレンス受信部２３０は、サービス利用端末１０１からプリファレンスを受信する。加工情報生成部２４０は、プリファレンスの加工情報を生成する。プライバシポリシ加工部２５０は、生成されたプリファレンスの加工情報に基づいて、受信したプライバシポリシを加工する。加工済プライバシポリシ送信部２６０は、加工したプライバシポリシをサービス利用端末１０１に送信する。
【００３７】
＜プライバシポリシ加工システムの処理＞
図１１を用いて、本実施形態に係るプライバシポリシ加工システムの処理について説明する。
【００３８】
まず、サービス利用端末１０１が、サービスサーバ２０１にプリファレンスを送信する（ステップＳ２１０）。サービスサーバ２０１は、サービス利用端末１０１からプリファレンスを受信し（ステップＳ２２０）、プリファレンスの加工情報を生成する（ステップＳ２３０）。
【００３９】
サービスサーバ２０１は、生成されたプリファレンスの加工情報に基づいて、プライバシポリシを加工し（ステップＳ２４０）、加工したプライバシポリシをサービス利用端末１０１に送信する（ステップＳ２５０）。
【００４０】
そして、サービス利用端末１０１は、加工したプライバシポリシをサービスサーバ２０１から受信し（ステップＳ２６０）、受信した加工済のプライバシポリシを表示する（ステップＳ２７０）。
【００４１】
＜第３の実施形態＞
図１２から図１６を用いて、本発明に係る第３の実施形態について説明する。
本実施形態に係るプライバシポリシ加工システムは、図１２に示すように、サービス利用端末１０２と、サービスサーバ２０２と、第三者サーバ４００とから構成され、これらがネットワーク３００を介して、接続されている。
【００４２】
＜サービス利用端末の構成＞
本実施形態に係るサービス利用端末は、図１３に示すように、加工情報生成部１２０と、プリファレンス格納部１３０と、加工情報送信部１８０と、加工済プライバシポリシ受信部１７０と、プライバシポリシ表示部１５０とから構成されている。なお、第１の実施形態と同一の符号を付す構成要素については、同様の機能を有することから、その詳細な説明は、省略する。
【００４３】
加工情報送信部１８０は、第三者サーバ４００にプリファレンスと加工情報とを送信する。
【００４４】
＜サービスサーバの構成＞
本実施形態に係るサービスサーバは、図１４に示すように、プライバシポリシ格納部２１０と、プライバシポリシ送信部２２０とから構成されている。
【００４５】
＜第三者サーバの構成＞
本実施形態に係る第三者サーバは、図１５に示すように、プライバシポリシ受信部４１０と、プライバシポリシ加工部４２０と、加工済プライバシポリシ送信部４３０とから構成されている。
【００４６】
プライバシポリシ受信部４１０は、サービス利用端末１０２からプリファレンスと加工情報とを、サービスサーバ２０２からプライバシポリシを受信する。プライバシポリシ加工部４２０は、受信したプリファレンスと加工情報とプライバシポリシとに基づいて、プライバシポリシを加工する。加工済プライバシポリシ送信部４３０は、加工したプライバシポリシをサービス利用端末１０２に送信する。
【００４７】
＜プライバシポリシ加工システムの処理＞
図１６を用いて、本実施形態に係るプライバシポリシ加工システムの処理について説明する。
【００４８】
まず、サービス利用端末１０２が、プリファレンスの加工情報を生成し（ステップＳ３１０）、第三者サーバ４００にプリファレンスと加工情報とを送信する（ステップＳ３２０）。
【００４９】
サービスサーバ２０２は、プライバシポリシを第三者サーバ４００に送信する（ステップＳ３３０）。
【００５０】
第三者サーバ４００は、サービス利用端末１０２からプリファレンスと加工情報とを、サービスサーバ２０２からプライバシポリシを受信し（ステップＳ３４０）、受信したプリファレンスと加工情報とプライバシポリシとに基づいて、プライバシポリシを加工して（ステップＳ３５０）、加工したプライバシポリシをサービス利用端末１０２に送信する（ステップＳ３６０）。
【００５１】
そして、サービス利用端末１０２は、加工したプライバシポリシをサービスサーバ２０２から受信し（ステップＳ３７０）、受信した加工済のプライバシポリシを表示する（ステップＳ３８０）。
【００５２】
なお、プライバシポリシ加工システムの処理をコンピュータシステムが読み取り可能な記録媒体に記録し、この記録媒体に記録されたプログラムをプライバシポリシ加工システムに読み込ませ、実行することによって本発明のプライバシポリシ加工システムを実現することができる。ここでいうコンピュータシステムとは、ＯＳや周辺装置等のハードウェアを含む。
【００５３】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００５４】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００５５】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００５６】
１００；サービス利用端末
１０１；サービス利用端末
１０２；サービス利用端末
１１０；プライバシポリシ受信部
１２０；加工情報生成部
１３０；プリファレンス格納部
１４０；プライバシポリシ加工部
１５０；プライバシポリシ表示部
１６０；プリファレンス送信部
１７０；加工済プライバシポリシ受信部
１８０；加工情報送信部
２００；サービスサーバ
２０１；サービスサーバ
２０２；サービスサーバ
２１０；プライバシポリシ格納部
２２０；プライバシポリシ送信部
２３０；プリファレンス受信部
２４０；加工情報生成部
２５０；プライバシポリシ加工部
２６０；加工済プライバシポリシ送信部
３００；ネットワーク
４００；第三者サーバ
４１０；プライバシポリシ受信部
４２０；プライバシポリシ加工部
４３０；加工済プライバシポリシ送信部
【図１】
2015049772.tif 000003
【図２】
2015049772.tif 000004
【図３】
2015049772.tif 000005
【図４】
2015049772.tif 000006
【図５】
2015049772.tif 000007
【図６】
2015049772.tif 000008
【図７】
2015049772.tif 000009
【図８】
2015049772.tif 000010
【図９】
2015049772.tif 000011
【図１０】
2015049772.tif 000012
【図１１】
2015049772.tif 000013
【図１２】
2015049772.tif 000014
【図１３】
2015049772.tif 000015
【図１４】
2015049772.tif 000016
【図１５】
2015049772.tif 000017
【図１６】
2015049772.tif 000018